(57)【特許請求の範囲】
【請求項１】
支持線の周囲に、予め配線図面に基づいて計尺され、それぞれ異なる長さのものとされた複数条の分岐線を撚合せ、その外周に前記分岐線の撚り方向と反対方向に粗巻きを施して成る分岐付ケーブルにおいて、
前記各分岐線は、並列に配置された複数条の小分岐線と、これらの小分岐線を一体化する共通外被とで構成され、
前記共通外被には前記小分岐線毎に分離することができる首部が設けられていることを特徴とする分岐付ケーブル。
【請求項２】
支持線の周囲に、予め配線図面に基づいて計尺され、それぞれ異なる長さのものとされた複数条の分岐線を撚合せ、その外周に前記分岐線の撚り方向と反対方向に粗巻きを施して成る分岐付ケーブルにおいて、
前記各分岐線は、並列に配置された電話用回線となる小分岐線およびＬＡＮ用回線となる小分岐線と、これらの小分岐線を一体化する共通外被とで構成され、
前記共通外被には前記小分岐線毎に分離することができる首部が設けられていることを特徴とする分岐付ケーブル。
【発明の詳細な説明】
【０００１】
【発明の属する技術分野】
【０００２】
本発明は、分岐付ケーブルに係わり、特に、任意位置から分岐線を取り出し得る分岐付ケーブルに関する。
【従来の技術】
【０００３】
一般に、高層の集合住宅等に配線されるケーブルとしては、地下若しくは１階にある配線盤より各戸への配線工事を効率的に行うため、ケーブルの任意位置から分岐線を容易に取り出すことが可能な分岐付ケーブルが使用されている。
【０００４】
かかる分岐付ケーブルとしては、図５に示すように、各戸毎に配線する異なった長さの分岐線１を、支持線２の周囲に撚り合わせ、この外周に粗巻きを施して、すなわち分岐線１の撚り方向と反対方向にテープ状の紐３をスパイラル巻きしてケーブル化し、ケーブルの任意位置から分岐線を取り出すことができるようにした、いわゆるタケノコ型の分岐付ケーブルが知られている。
【０００５】
かかるタケノコ型の分岐付ケーブルは、撚線機（不図示）に装着されたボビンから分岐線１を繰り出し、これを走行する支持線２の外周に撚合せ、その外周に粗巻きを施すことにより製造される。
【発明が解決しようとする課題】
【０００６】
一方、近時においては、建築物の高層化に伴い、必要とされる電話回線数が増加し、またインターネットの普及に伴い、電話回線のみならず，ＬＡＮ（Ｌｏｃaｌ  Ａｒｅａ  Ｎｅｔｗｏｒｋ）用回線の配線要求も増加しており、これに応じて分岐付ケーブルにおける分岐線の条数も多く必要とされている。
【０００７】
ここで、例えば、高層の集合住宅の配線工事において、各戸毎に電話用回線およびＬＡＮ用回線の配線が必要となった場合、集合住宅の戸数が１９戸以上あるとすると、電話用回線およびＬＡＮ用回線として分岐線が３８条以上必要とされることになる。
【０００８】
ところが、従来の製造設備を用いて、分岐線の条数の多い分岐付ケーブルを製造することは、撚線機の装着ボビン数の関係から製造することが困難であった。すなわち、既設の撚線機では分岐線を巻回するボビンの数から制限され、分岐線の条数が限られてしまうという難点があった。例えば、分岐線を巻回するボビンが１２ボビンのものと６ボビンのものとをいわゆるタンデムに配置した１８ボビンの撚線機では、分岐線の条数は、１８本に制限され、この撚線機を使用して撚線工程を繰り返しても、すなわち２回通しを行っても、分岐線の条数は３６本に限られることになる。従って、多くの条数の分岐線を支持線の外周に撚り合わせるには、ボビン数の多い大型の撚線機を新設しなければならないという難点があった。
【０００９】
このため、いわゆるタケノコ型の分岐付ケーブルを複数条製造し、これらのタケノコ型の分岐付ケーブルをそれぞれ布設する方法も考えられているが、複数条の分岐付ケーブルを布設することは、布設工事が煩雑になる上、コスト的にも割高になるという難点がある。
【００１０】
本発明は、上述の難点を解決するためになされたもので、既設の撚線機を使用して、すなわち、従来の小型の撚線機を使用して、支持線の外周に所要条数の分岐線を撚合せることが可能な分岐付ケーブルを提供することを目的としている。
【課題を解決するための手段】
【００１１】
このような目的を達成するため、本発明の分岐付ケーブルは、支持線の周囲に、予め配線図面に基づいて計尺され、それぞれ異なる長さのものとされた複数条の分岐線を撚合せ、その外周に分岐線の撚り方向と反対方向に粗巻きを施して成る分岐付ケーブルにおいて、各分岐線は、並列に配置された複数条の小分岐線と、これらの小分岐線を一体化する共通外被とで構成され、共通外被には小分岐線毎に分離することができる首部が設けられていることを特徴としている。
【００１２】
また、本発明の分岐付ケーブルにおける分岐線は、並列に配置された電話用回線となる小分岐線とＬＡＮ用回線となる小分岐線とから成り、これらの小分岐線を共通外被等で断面視でメガネ型若しくはダルマ型に一体化したもので構成されていることを特徴としている。
【００１３】
本発明によれば、例えば、分岐線に電話用回線となる小分岐線とＬＡＮ用回線となる小分岐線が含まれているから、既設の撚線機、すなわちボビン数の少ない小型の撚線機でも分岐線の条数の多い分岐付ケーブルを製造することができる。また、分岐線を例えば電話用回線となる小分岐線とＬＡＮ用回線となる小分岐線とで構成し、これらの小分岐線を共通外被で断面視でメガネ型若しくはダルマ型に一体化したもので構成した場合においては、電話用回線となる小分岐線とＬＡＮ用回線となる小分岐線を容易に分離することができ、ひいては各小分岐線の端末にコネクタを簡単に取り付けることが可能になる。
【発明の実施の形態】
【００１４】
以下、本発明の分岐付ケーブルを適用した好ましい実施の形態について、図面を参照して説明する。
【００１５】
図１は、本発明の分岐付ケーブルの概略断面図を示している。なお、同図において、図５と共通する部分には同一の符号が付されている。図１において、本発明の分岐付ケーブルは、鋼撚線等から成る支持線２と、この支持線２の周囲に撚合せられた複数条の分岐線４と、この分岐線４の外周に、分岐線４の撚り方向と反対方向に粗巻きされたテープ状の紐３とを備えている。
【００１６】
図２は、本発明における分岐線４の概略断面図を示している。同図において、本発明における分岐線４は、電話用回線となる小分岐線５とＬＡＮ用回線となる小分岐線６とを備えている。ここで、電話用回線となる小分岐線５は、導体の外周に例えばポリエチレン絶縁体を設けた絶縁線心を対よりした線心（以下、「対より線心」という。）５ａを例えば２対備えており、また、ＬＡＮ用回線となる小分岐線６は、４対の対より線心６ａを備えている。なお、これらの対より線心５ａ、６ａは所定のピッチで撚合せられている。
【００１７】
そして、これらの小分岐線５、６は、並列に配設され、各小分岐線５、６の外周に、両小分岐線５、６に跨ってポリ塩化ビニル樹脂等の押出被覆により共通外被７が設けられている。この共通外被７により、各小分岐線５、６が一体化され、断面視でいわゆるダルマ型若しくはメガネ型の分岐線４が得られる。
【００１８】
図３は、分岐線４の他の実施例を示している。この実施例においては、ＬＡＮ用回線となる小分岐線６、６のみが、２条並列に配設され、これらの小分岐線６、６の外周に、図２に示す分岐線４と同様にして共通外被８が設けられている。
【００１９】
次に、以上の分岐線を撚合せる方法について述べる。先ず、分岐線４の条数は、集合住宅等に配線する戸数の数だけ必要とされ、またその分岐線４は、予め、配線図面に基づいて計尺され、それぞれ異なる長さのものとされている。
【００２０】
かかる分岐線４は、既設の撚線機のボビンにそれぞれ巻回されており、それぞれボビンから繰り出されて、走行する支持線２の外周に撚合わされる。そして、その分岐線４の外周に、分岐線４の撚り方向と反対方向にテープ状の紐３をスパイラル巻きして、すなわち粗巻きを施すことにより、所要の分岐付ケーブルが得られる。なお、撚線機として、撚り返し機構を有するものを使用すれば、所定の電気的特性を有するケーブルが得られる。
【００２１】
図４は、ケーブルシャフト内における本発明の分岐付ケーブルの布設状況を示している。なお、同図において、図１と共通する部分には同一の符号が付されている。図４において、先ず、本発明の分岐付ケーブルは、ケーブルシャフト内に吊り上げ布設され、支持線２の上部は天井（不図示）等に固定され、下部は配線盤（不図示）に接続される。また、分岐付ケーブルの任意位置から、分岐線４が分岐され、その端末は、従来と同様の方法により各階の配線盤等に接続される。なお、図中、１３は、分岐部に設けられたバインド線を示している。
【発明の効果】
【００２２】
以上の説明から明らかなように、本発明の分岐付ケーブルによれば、１条の分岐線に複数条の小分岐線が含まれているから、ボビン数の少ない小型の撚線機でも分岐線数の多い分岐付ケーブルを製造することができる。また、複数条の小分岐線を平型に配置し、これらを共通外被で断面視でいわゆるメガネ型若しくはダルマ型に一体化した分岐線を使用した場合においては、共通外被のいわゆる首の部分、すなわち各小分岐線を連結する共通外被の薄厚の部分を簡単に分離することができるため、分岐線を小分岐線毎に容易に分離することができ、また分岐後の各小分岐線には、共通外被が存在するため対より線心が露出せず、ひいては外被を含めた状態で小分岐線の端末にコネクタをそのまま簡単に取り付けることが可能になる。
【図面の簡単な説明】
【００２３】
【図１】  本発明の分岐付ケーブルの概略断面図。
【図２】  本発明における分岐線の概略断面図。
【図３】  本発明における分岐線の他の実施例を示す概略断面図。
【図４】  本発明の分岐付ケーブルの布設状況を示す説明図。
【図５】  従来の分岐付ケーブルの概略断面図。
【符号の説明】
【００２４】
１、４・・・・・・・・・分岐線
２・・・・・・・・・支持線
３・・・・・・・・・紐
７、８・・・・・・・・・分岐線
【図１】
0004505095.tif 000002
【図２】
0004505095.tif 000003
【図３】
0004505095.tif 000004
【図４】
0004505095.tif 000005
【図５】
0004505095.tif 000006